(57)【要約】【課題】広範囲にわたって付着した汚れを短時間で効率よく洗浄する為に、複数の噴射ノズルを備えた洗浄用スプレーガンの提供。【解決手段】持ち手の前後にはポンプ２，３を設け、各ポンプ２，３はモータ８の駆動にて往復動するスライダー１０の前後にピストン１２，１３を連結して構成している。ピストン１２，１３はシリンダー１４，１５のシリンダー孔１６，１７に収容されてスライダー１０と共に前進後退動可能であり、後方のシリンダー孔１７と連通する連結パイプ２１を前方に配置した噴射ノズル１ｂと連結している。【選択図】        図４
2005021738.tif 000002
【特許請求の範囲】
【請求項１】
複数の噴射ノズルを備えた洗浄用スプレーガンにおいて、持ち手の前後にはポンプを設け、各ポンプはモータの駆動にて往復動するスライダーの前後にピストンを連結し、該ピストンはシリンダーのシリンダー孔に収容されてスライダーと共に前進後退動可能に構成され、後方のシリンダー孔と連通する連結パイプを前方に配置した噴射ノズルと連結し、ポンプの稼動にて噴射ノズルから洗浄液をタイミングよく噴射することを特徴とする複数の噴射ノズルを備えた洗浄用スプレーガン。
【請求項２】
洗浄液を各ポンプに供給する為の供給ホースをシリンダーの上部に連結し、又モータの電源コードを持ち手上部に連結した請求項１記載の複数の噴射ノズルを備えた洗浄用スプレーガン。
【発明の詳細な説明】
【０００１】
【発明の属する技術分野】
本発明はピストンポンプのピストンにより洗浄液を噴射させ、該洗浄液によって繊維製品や機器等を洗浄する為に、複数の噴射ノズルを備えたスプレーガンに関するものである。
【０００２】
【従来の技術】
スプレーガンにはピストンポンプを備えた型式のものが使われているが、ピストンの往復動によって噴射する洗浄液は断続的となり、該洗浄液は霧状を成して繊維製品や機器等にかけられ、汚れを落とす場合に使用されている。図６は従来の洗浄用スプレーガンを示しているが、ピストンポンプ（イ）の先端に噴射ノズル（ロ）を有し、ピストンポンプ（イ）を往復動するピストン（ハ）によって供給ホース（ニ）から洗浄液を吸上げて噴射ノズル（ロ）から噴射する。
【０００３】
ここで、ピストン（ハ）は持ち手（ホ）に内蔵されているモータにて往復動させられることになるが、該モータの軸（ヘ）はカムリング（ト）に連結し、カムリング（ト）には偏心軸（チ）が設けられている。そして、この偏心軸（チ）はスライダー（リ）の遊嵌溝に遊嵌していて、上記カムリング（ト）が回転するならばスライダー（リ）は偏心軸（チ）の偏心量の範囲内で往復動することになる。上記ピストン（ハ）はスライダー（リ）に連結している為に、ピストン（ハ）も往復動することが出来る。
【０００４】
スプレーガンのケーシング（オ）には上記供給ホース（ニ）の近くにドレーンホース（ル）が接続されており、ピストンポンプ（イ）から漏れた洗浄液を回収している。ピストン（ハ）が嵌って往復動するシリンダー穴の内周面との間には殆ど隙間はなく、又洗浄液が逆流しないようにシールされているが、実際にはこの僅かな隙間を侵入して逆流し、ドレーンとして回収される。使用する洗浄液が非常に高価である為に回収する場合、又漏れたまま放置したのでは環境保全上問題になる場合等色々あるが、ピストンポンプ（イ）から漏れる洗浄液をそのまま垂れ流すことが出来ない。
【０００５】
そこで、供給ホース（ニ）をケーシング（オ）の上側に接続し、又ドレーンホース（ル）を接続しないで、その代わり回収容器を取着し、該回収容器内には吸収材を充填してドレーンを吸収する方式も知られている。ところで、従来一般的に用いられている洗浄液は、トリクロールエタン、トリクロールエチレン等であり、これを噴射ノズルから断続的に噴射させることで、生地に付着している汚れが落とされる。
【０００６】
このように、洗浄用スプレーガンは先端に設けている噴射ノズル（ロ）から洗浄液を噴射することで生地に付着している汚れを除去することが出来るが、汚れが広範囲にわたっている場合には時間がかかる。洗浄用スプレーガンが使用される汚れはシミ等で、普通の洗濯では落ちない汚れが対象となる為に、長時間にわたって作業しなくてはならない。
【０００７】
【発明が解決しようとする課題】
このように従来の洗浄液を用いて洗浄する場合には上記のごとき問題が発生する。本発明が解決しようとする課題はこの問題点であり、広範囲にわたった汚れであっても短時間で除去することが出来る洗浄用スプレーガンを提供する。
【０００８】
【課題を解決する為の手段】
本発明に係る洗浄用スプレーガンは洗浄液を噴射する為の噴射ノズルを複数設け、複数の噴射ノズルから噴射する洗浄液が同時に広範囲にわたって当たる事になる。しかし、本発明の洗浄用スプレーガンは複数の噴射ノズルを備えているが、ポンプを稼動するモータは１個である。
【０００９】
すなわち、モータによって往復動するスライダーの前後にピストンが連結し、前進した際には主噴射ノズルから洗浄液が噴射し、後退した際には副噴射ノズルから洗浄液が噴射することになる。ここで、副噴射ノズルは１個に限らず、２個以上設けることも可能である。すなわち、１個のモータで複数のポンプを稼動して各噴射ノズルから洗浄液を噴射させる。以下、本発明に係る実施例を図面に基づいて詳細に説明する。
【００１０】
【実施例】
図１〜図３は本発明の洗浄用スプレーガンを示している実施例であり、図１は正面図、図２は平面図、図３は背面図を夫々表している。同図において、１は噴射ノズル、２及び３はポンプ、４は持ち手、５及び６は供給ホース、７は電源コードを示している。本発明の洗浄用スプレーガンは図２の平面図から明らかなように、２個の噴射ノズル１ａ，１ｂを備えていて、両噴射ノズル１ａ，１ｂから噴射する洗浄液は同時に広範囲にわたって吹き付けられる。
【００１１】
図４は洗浄用スプレーガンの内部構造の概略を示している。持ち手４の内部にはモータ８が内蔵され、該モータ８の主軸にはカム９が取着され、カム９はスライダー１０と係合している。従って、モータ８にて該カム９が回転駆動するならば、スライダー１０は前後方向に往復スライドすることが出来る。該カム９とスライダー１０との係合関係は前記図６に示す従来例と同じであり、カム９に設けている偏心軸１１が回転することによりスライダー１０は往復スライドすることが出来る。
【００１２】
そして上記スライダー１０の前後にはピストン１２，１３が連結して前後方向へ延び、スライダー１０のスライドと共にピストン１２，１３もスライドすることが出来る。ピストン１２はポンプ２を構成するシリンダー１４に収容され、またピストン１３はポンプ３を構成するシリンダー１５に収容されて往復スライドする。図１に示すように、両シリンダー１４，１５は持ち手４の上端前後に延びている。
【００１３】
ピストン１２，１３が収容されてスライドすることが出来るシリンダー孔１６，１７の先端にはバルブ１８，１９が取付けられると共に、スプリング２２，２０によってバネ力が各バルブ１８，１９に付勢されている。従って、該バルブ１８はシリンダー孔１６を閉鎖し、同じくバルブ１９はシリンダー孔１７を閉じている。
【００１４】
そこで、ピストン１２が後退する場合、上記バルブ１８がシリンダー孔１６を閉鎖している為に、供給ホース５から洗浄液が該シリンダー孔１６に吸い込まれ、同じくピストン１３が後退する際には、上記バルブ１９がシリンダー孔１７を閉じている為に、供給ホース６から洗浄液がシリンダー孔１７に吸い込まれる。そして、ピストン１２が前進すると、スプリング２２が圧縮されてバルブ１８が開き、噴射ノズル１ａから洗浄液が噴射される。
【００１５】
同じく、ピストン１３が前進すると、スプリング２０が圧縮されてバルブ１９が開き、噴射ノズル１ｂから洗浄液が噴射される。すなわち、前方側へ延びるシリンダー１４に収容されているピストン１２が前進することで噴射ノズル１ａから洗浄液が噴射し、後方側へ延びるシリンダー１５に収容されているピストン１３が前進することで噴射ノズル１ｂから洗浄液が噴射する。
【００１６】
そして、両ピストン１２，１３はスライダー１０の前後に連結されている為に、ピストン１２が前進する際にはピストン１３は後退し、逆にピストン１２が後退する際にはピストン１３は前進する。後方のシリンダー１５に形成しているシリンダー孔１７は連結パイプ２１と連通し、ピストン１３にて押し出された洗浄液は連結パイプ２１を流れて前方に配置されている噴射ノズル１ｂから噴射される。  従って、洗浄液は両噴射ノズル１ａ，１ｂから交互に噴射されて、汚れが除去される。
【００１７】
図５は本発明に係る他の実施例であり、３個の噴射ノズル１ａ，１ｂ，１ｃを備えている。基本的な構造は前記実施例の場合と同じであり、洗浄液は中央に位置する噴射ノズル１ａと両側に位置する噴射ノズル１ｂ，１ｃから交互に噴射される。後方へ延びるシリンダー１５の先端には連結パイプ２１ａ，２１ｂが連結され、シリンダー１５に収容されているピストン１３によって押し出された洗浄液は、連結パイプ２１ａ，２１ｂを流れて両噴射ノズル１ｂ，１ｃから噴射することが出来る。
【００１８】
以上述べたように、本発明の洗浄用スプレーガンは複数の噴射ノズルを備えたものであり、次のような効果を得ることが出来る。
【００１９】
【発明の効果】
本発明の洗浄用スプレーガンは複数の噴射ノズルを備えている為に、広範囲にわたって付着した汚れを短時間で洗浄することが出来る。そして複数の噴射ノズルは１個のモータを駆動することで各ピストンを作動することが出来、夫々のモータでピストンを作動して噴射ノズルから噴射するのではなく、複数噴射ノズルを備えた洗浄用スプレーガンとしての構造は簡単となる。
【００２０】
すなわち、モータの回転で往復動するスライダーの前後にピストンが連結した構造としている為に、スライダーを挟んで前後にポンプを構成することが出来、複数の噴射ノズルからは僅かな時間のズレはあるが，タイミングよく洗浄液が噴射される。
【図面の簡単な説明】
【図１】本発明に係る洗浄用スプレーガンの正面図。
【図２】本発明に係る洗浄用スプレーガンの平面図。
【図３】本発明に係る洗浄用スプレーガンの背面図。
【図４】洗浄用スプレーガンの内部構造図。
【図５】３個の噴射ノズルを備えた洗浄用スプレーガン。
【図６】従来の洗浄用スプレーガン。
【符号の説明】
１  噴射ノズル
２  ポンプ
３  ポンプ
４  持ち手
５  供給ホース
６  供給ホース
７  電源コード
８  モータ
９  カム
１０  スライダー
１１  偏心軸
１２  ピストン
１３  ピストン
１４  シリンダー
１５  シリンダー
１６  シリンダー孔
１７  シリンダー孔
１８  バルブ
１９  バルブ
２０  スプリング
２１  連結パイプ
２２  スプリング
【図１】
2005021738.tif 000003
【図２】
2005021738.tif 000004
【図３】
2005021738.tif 000005
【図４】
2005021738.tif 000006
【図５】
2005021738.tif 000007
【図６】
2005021738.tif 000008